(57)【要約】      （修正有）【課題】原発廃炉により生じる汚染水の処理方法を提供する。【解決手段】真空式多段式造水装置を用い、蒸発（気化）冷却により汚染水を処理する。【選択図】なし【特許請求の範囲】
【請求項１】
原発廃炉により生じた、汚染水の全体量の減少を量るために、真空多段式造水装置を設けた事を特徴とする、汚染水の蒸発（気化）冷却による、水分排出処理方法、
【請求項２】
原発事故周辺の放射性物質と汚染物質の影響を避ける為に、大型タンカーに陸上の汚染水を積み込み、放射性元素除去及び汚染物質除去装置を設置の上、洋上にて汚染水処理を行う方法。
【発明の詳細な説明】
【技術分野】
【０００１】この発明は、福島第一原発事故から４年が経過した現在汚染水の処理能力の不足から、２６万トンの汚染水が貯蔵されており、尚今も日々増加しており、何とか減少に向かう様にしないとの思いからの発想によるものです、
【背景技術】
【０００２】従来の汚染水対策を見るに、地下水の流入に対する防止対策が主と考えて、冷凍壁による地下水の遮蔽や地下水バイパス等の対策を取っておりますが、浄化が間に合わず平成２７年１月現在２６万トンの汚染水が溜まり対策に苦慮されています、
【先行技術文献】
【特許文献】
【０００３】
【特許文献１】                  原発  汚染水  排出  処理  で検索                                                公開公報「３件」                                                      項番      公開番号／登録番号                                                      １    特許公開  ２０１４／１３００２３                                          ２      〃      ２０１３／１５６２４１                                          ３      〃      ２０１２／２４７３２１
【発明の概要】
【発明が解決しようとする課題】
【０００４】これは次の様な欠点があった、
１、東日本大震災の起した津波による事故で、従来の対策では何とも出来ない点あり
２、原発の地が設置前、川が流れていて、その下に伏流水の流れがあった、
３、原発の汚染物質が多量に飛散、雨水や地下水が汚染水に成り、海へ排出出来ない
４、原発本体の冷却も重要で、冷却水量の増加が考えられる、
５、近年雨が集中的に降る傾向があり、急激な増量となる事が考えられる、
６、事故以前の様に、自由に海に流す事が出来ない、これが最大の問題です、
【課題を解決するための手段】
【０００５】［手段１］汚染水を大型タンカーに移して、外洋上に出る、（その為には、次の準備が必要です、処理能力１００トン／Ｄ以上の真空式多段式造水装置を取り付けて、汚染水の加熱器その他造水機器の運転可能な配管を造船所にて改造の上整備する又、乗り組み員、作業員の防災及び安全対策を要す）
［手段２］何故外洋上に出るのか、造水装置で汚染水から蒸発分離して出来る水は純粋で不純物は一切含んで居ません、その為ある一定の濃度に成るまでは周囲から非常に強い力で吸引、吸収をします、原発事故現場では、周囲に飛散の放射性と汚染物質を吸引し短時間の内に汚染水にかわり海に排出出来ません、
［手段３］何故造水装置なのか、汚染水を真水に反す為です、真水として海にかえして汚染水の濃度を高めその量を減、最終処理量を減らす、
［手段４］何故造水装置なのか、自然界の水は赤道付近で熱されて蒸発（気化）して上空へ高く上りますが、人間の目には見えません、上空で冷気に触れると雲として見え始め湿度が高まると雨や雪と成って降って来ます、純粋の水が大気中の汚れを吸着しながら、そのお陰で気持ちの良い生活が出来ています、（気化した水は一切の不純物を含みません）
［手段５］現役時代北洋ですり身工船の真空７段式造水装置を担当し、５０トン／Ｄの水を造って参りました、器内では激しい沸騰の様子は見えますが、気化した水は無色透明です、自然界と一諸で不純物は含みません、放射性物質も同じです、故に原発事故での汚染水処理も処理可能と考えております、一日も早い事故の終息を願いながら筆を取っております、
【発明の効果】
【０００６】［効果１］汚染水を大型タンカーに移して、外洋上に出る、この方法を実行するには、一時的に大きな費用を要すると思いますが、近海の漁業者への問題が回避出来て、両者共に良い結果と成ります、
［効果２］造水機メーカー（株）ササクラでは造水量一日当たり５トン〜１００トンの能力を有して居ります、原発完全廃炉迄４０数年を要すと聞いております、各メーカーで対策を検討の上、準備願えれば、２６万トンの汚染水の処理も出来ると思います、
［効果３］汚染水を造水機器内にて、出来る限り濃縮し、出来た真水を海に返す、この方法以外安全と安心と効率の良い方法は無いと思います、尚最終の放射性物質の処理装置も整備して対処出来れば、完全処理が出来る事と成ります、
［効果４］国内原発の廃炉が次々と決定される今、この様な能力を有するタンカーを整備保持する事は大きな効果と成ります
【発明を実施するための形態】
【０００８】以下、本発明を実施するための形態について説明する、
本発明は、福島第一原発の東日本大震災による事故で生じた、多量の汚染水（放射性物質及び汚染物質を含む）を大型タンカーに移して、太平洋上に出る事により原発周辺海域の海を汚染する事無く、汚染水を、真空多段式造水装置器内を循環蒸発（気化させて）復水器にて冷却した水分を船外に排出して、汚染水全体量減少を量り、同時に汚染水を濃縮し最終的放射性物質の処理の効率を高める、
【手続補正書】
【提出日】平成27年4月21日(2015.4.21)
【手続補正１】
【補正対象書類名】明細書
【補正対象項目名】０００５
【補正方法】変更
【補正の内容】
【０００５】  ［手段１］汚染水を大型タンカーに移して、外洋上に出る、（その為には、次の準備が必要です、処理能力５０〜６０トン／Ｄ程度の、真空多段式造水装置を３〜４台設置して、２４時間連続運転可能とし、汚染水７０〜８０℃への加熱器、その他造水機器の運転可能な配管を造船所にて整備する、又、乗組員、作業員の防災及び安全対策を要す）
［手段２］何故外洋上に出るのか、造水装置で汚染水から蒸発分離して出来る水は純粋で不純物は一切含んで居ません、その為ある一定の濃度に成るまでは周囲から非常に強い力で汚れを吸引、吸収をします、原発事故現場では、周囲に飛散の放射性と汚染物質を吸引し短時間の内に汚染水にかわり海に排出出来ません、
［手段３］何故造水装置なのか、汚染水を真水に返す為です、真水として海にかえして汚染水の濃度を高めその量を減じ、最終処理量を減らす、
［手段４］何故造水装置なのか、自然界の水は赤道付近で熱されて蒸発（気化）して上空へ高く上りますが、人間の目には見えません、上空で冷気に触れると雲や霧として見え始め湿度が高まると雨や雪と成って降って来ます、純粋の水が大気中の汚れを吸着しながら降る事により、そのお陰で気持ちの良い生活が出来ています、（気化した水は一切の不純物を含みません。）
［手段５］現役時代北洋漁場のすり身工船にて、真空７段式造水装置を担当し、数１０トン／Ｄの造水を体験して参りました、器内では激しい沸騰の様子は見えますが、気化した水は無色透明です、そして、自然界と一諸で不純物は一切含みません、放射性物質も同じと思います、故に、原発事故での汚染水も水分の分離除去は可能と考えております、又、真空７段式造水装置の運転状態ですが当時、機関室より離れた場所に設置されて居ましたがスタート後の調整が済めば以後は非常に安定した造水を続けていた事を記憶しています、一日も早い事故の終息を願いながら筆を取っております。
［手段６］２６万トンの汚染水を造水器により一日当り５０トン／Ｄの処理とすると、１４年の長期間を要する事となります、只造水をして海に流すでは、熱量の大きな損失が考えられ、低圧式蒸気タービンによる発電で熱回収が出来れば、電気機器の運転や照明等にも利用が考えられ、長期運転では特に必要な対策と考えられます、（造水器の単式か多段式かの判断が必要かと思います）
【手続補正２】
【補正対象書類名】特許請求の範囲
【補正対象項目名】請求項１
【補正方法】変更
【補正の内容】
【請求項１】
原発廃炉により生じた、汚染水の全体量の減少を量るために、真空多段式造水装置を設けた事を特徴とする、汚染水の蒸発（気化）冷却による、汚染水の濃縮と水分排出処理方法。